(57)【特許請求の範囲】
【請求項１】
フイルム出入口に開閉自在な遮光蓋が組み込まれたパトローネが予め装填されるパトローネ室と、ロール状にした写真フイルムが予め装填されるフイルムロール室とを有するユニット本体に、前記フイルムロール室からパトローネ室に向けて撮影済みの写真フイルムを巻き上げることに連動してシャッタチャージを行うとともに、シャッタレリーズ操作に応答してシャッタ羽根を開閉するためのシャッタ機構部を組み込み、前記シャッタ機構部を組み込んだユニット本体を前・後カバーで覆ったレンズ付きフイルムユニットにおいて、
前記パトローネ室の上壁に設けた開口から内部に入り込んで前記遮光蓋に係合しており、前記開口を中心として前記フイルム出入口を閉じる閉じ位置と開く開き位置との間で回転して前記遮光蓋を開閉する蓋開閉部材と、
前記蓋開閉部材を閉じ位置に向けて付勢するバネと、
前記パトローネ室の底を塞いでおり、撮影済みの写真フイルムを収納したパトローネを取り出すときに開かれる底蓋と、
上端が前記蓋開閉部材の回転軌跡内に露呈する上昇位置と回転軌跡内から退避する下降位置との間で移動自在に設けられており、上昇位置のときには下端が前記底蓋に係合しかつ上端が前記蓋開閉部材をバネの付勢に抗して開き位置に保持する連結棒と、
前記前・後カバーの内側で前記シャッタ機構部の上部を覆うように前記ユニット本体に組み付けられ、前記シャッタ機構部を構成している回転部材の回転軸の上端を支持する支持板と、
前記支持板に前記パトローネ室の上壁を部分的に覆うように一体に形成した押さえ部材と、を備え
前記押さえ部材によって、前記開閉蓋部材の上端部を前記パトローネ室の外部から押さえるようにしたことを特徴とするレンズ付きフイルムユニット。
【請求項２】
前記支持板の上面に突起を形成し、前記突起で前記前カバーの一部を切り欠いて弾性自在に形成したシャッタボタンの根元を下方から支持するようにしたことを特徴とする請求項１記載のレンズ付きフイルムユニット。
【発明の詳細な説明】
【０００１】
【発明の属する技術分野】
本発明は、レンズ付きフイルムユニットに関するものである。
【０００２】
【従来の技術】
カメラへの写真フイルムパトローネの装填の簡易化、現像所での作業効率の向上、及び写真フイルムパトローネの取扱い性の向上等を目的として、写真フイルムをその先端までもスプールに巻き付けてパトローネ本体に収納しておき、これをカメラに装填してスプールを回転させたときに写真フイルムの先端をパトローネ本体に設けた開口から外部に送り出すようにした写真フイルムパトローネが、米国特許４８３４３０６号明細書、同第４８３２２７５号明細書、特開平３−３７６４５号公報等に提案されている。
【０００３】
このような新たな写真フイルムパトローネは、従来の１３５タイプの写真フイルムパトローネと比べていろいろな特徴を備えている。第１の特徴は、パトローネ本体のフイルム出入口となる開口内に内部遮光用の遮光蓋を設けている。この遮光蓋は、開口を露呈する位置と遮蔽する位置との間で移動自在とされており、カメラやプリンタ等の駆動機構によって開閉される。また、第２の特徴としては、外形寸法がコンパクト化されたことである。
【０００４】
【発明が解決しようとする課題】
ところで、新たな写真フイルムパトローネをレンズ付きフイルムユニットに装填することを考慮すると、新たな問題が生じる。第１に、使用済のレンズ付きフイルムユニットからパトローネを取り出す際には、必ずパトローネ本体の遮光蓋を閉めておかないと、撮影済みの写真フイルムが露光されてしまう。そこで、レンズ付きフイルムユニットに、例えば、蓋開閉部材、捩じりバネ、及び規制部材から構成される遮光蓋閉じ機構を設ければよい。この機構としては、蓋開閉部材をパトローネ本体の蓋に係合させるとともに、この蓋開閉部材をバネで遮光蓋が閉じる方向に向けて付勢させておき、パトローネを取り出す際に開かれるパトローネ装填室の底蓋が閉じているとき、すなわち撮影使用中には規制部材を蓋開閉部材に当接させておき遮光蓋を開き位置で保持する。そして、開かれる底蓋に連動して規制部材を退避させ駆動部材への当接を解除させれば、バネの付勢により蓋開閉部材が回転して遮光蓋が自然に閉じる。ところで、このような機構では、遮光蓋を確実に閉じるために付勢力の強いバネが用いられる反面、バネの付勢力を強めると付勢方向に対して直交する方向に飛び出す恐れが生じる。このような不具合が生じると、いうまでもなく、遮光蓋閉じ機構が作動しないため、撮影済みの写真フイルムを露光させてしまう欠点があった。
【０００５】
また、第２の問題は、写真フイルムパトローネのコンパクト化に伴いレンズ付きフイルムユニット自体の外形寸法も小さくできる反面、あまりにも小型化を図るとカバー自体の厚みも薄くすることになる。周知のように、レンズ付きフイルムユニットでは、前カバーの上面の一部を切り欠いて弾性自在にした部分をシャッタボタンとしているため、前カバーの厚みを薄くするとシャッタボタンを押圧したときに、シャッタボタン近辺の前カバーまでもが弾性変形し、シャッタ機構を作動させるのに必要な押圧ストロークがシャッタボタンに得られず、したがってシャッタ機構が作動しないという欠点が生じる。
【０００６】
本発明は上記課題を解決するためのものであり、樹脂製外カバーの撓みで生じるシャッタレリーズの不作動を防止するとともに、遮光蓋閉じ機構の不作動を防止する手段をローコストで達成したレンズ付きフイルムユニットを提供することを目的とする。
【０００７】
【課題を解決するための手段】
上記目的を達成するために、本発明のレンズ付きフイルムユニットでは、パトローネ室の上壁に設けた開口から内部に入り込んで前記遮光蓋に係合しており、前記開口を中心として前記フイルム出入口を閉じる閉じ位置と開く開き位置との間で回転して前記遮光蓋を開閉する蓋開閉部材と；前記蓋開閉部材を閉じ位置に向けて付勢するバネと；前記パトローネ室の底を塞いでおり、撮影済みの写真フイルムを収納したパトローネを取り出すときに開かれる底蓋と；上端が前記蓋開閉部材の回転軌跡内に露呈する上昇位置と回転軌跡内から退避する下降位置との間で移動自在に設けられており、上昇位置のときには下端が前記底蓋に係合しかつ上端が前記蓋開閉部材をバネの付勢に抗して開き位置に保持する連結棒と；前記前・後カバーの内側で前記シャッタ機構部の上部を覆うように前記ユニット本体に組み付けられ、前記シャッタ機構部を構成している回転部材の回転軸の上端を支持する支持板と；前記支持板に前記パトローネ室の上壁を部分的に覆うように一体に形成した押さえ部材と；を備え、前記押さえ部材によって、前記開閉蓋部材の上端部を前記パトローネ室の外部から押さえるようにしたものである。
【０００８】
なお、前記支持板の上面に突起を形成し、前カバーの一部を切り欠いて弾性自在に形成したシャッタボタンの根元を前記突起で下方から支持するようにしてもよい。
【０００９】
【発明の実施の形態】
図２は、レンズ付きフイルムユニット１０の外観を示すものである。レンズ付きフイルムユニット１０は、写真フイルムパトローネや各種撮影機構が内蔵されたユニット本体１１とこれを収納する外ケース１２とから構成されている。外ケース１２は、ユニット本体１１に組み込まれた巻上げノブ１３，シャッタボタン１４、ストロボ発光部１５、ストロボスイッチ１６等を露呈させるような輪郭となっており、また、撮影レンズ１７，ファインダ光学１８及び枚数表示用の表示窓１９等を露出させるための穴が設けられている。
【００１０】
ユニット本体１１は、図３に示すように、本体基部２０、後カバー２１、露光ユニット２２、前カバー２３、ストロボユニット２４、及び写真フイルムパトローネ２５とから構成されている。本体基部２０の前面には、露光ユニット２２が着脱自在に取り付けられる。露光ユニット２２は、撮影レンズ１７、フイルム巻き上げ機構、ファインダー光学１８、及びシャッタチャージ機構等が組み込まれており、これらはユニット化されている。後カバー２１は、本体基部２０の背後に着脱自在に取り付けられ、本体基部２０との間で写真フイルムパトローネ２５を光密に収納する。
【００１１】
前カバー２３は、本体基部２０の前面に着脱自在に取り付けられる。この前カバー２３の上面には、一部を切り欠いて弾性自在に形成したシャッタボタン１４が設けられている。このシャッタボタン１４の下部には、押圧ロッド１４ａが設けられており、詳しくは後述する露光ユニット２２の構成部品を押圧してシャッタ機構を作動させる。
【００１２】
本体基部２０には、パトローネ２６を収納するためのパトローネ収納室２７と、パトローネ２６から全部引き出した未露光の写真フイルム２８をフイルムロールの形態で収納するためのフイルムロール室２９とが一体成形されている。
【００１３】
パトローネ収納室２７とフイルムロール室２９との底は開口となっており、写真フイルムパトローネ２５を装填した後に、後カバー２１に設けたプルトップ式の底蓋３０，３１によってそれぞれ塞がれる。底蓋３０は、撮影済みの写真フイルム１３を収納したパトローネ１２を取り出すときの蓋である。
【００１４】
パトローネ収納室２７とフイルムロール室２９との間には、暗箱３２が設けられている。暗箱３２の背面側には露光開口３３が形成されている。また、パトローネ収納室２７と暗箱３２との間には、底蓋３０を開いたときにパトローネ２６の遮光蓋２６ａを閉じる遮光蓋閉じ機構が組み込まれている。
【００１５】
暗箱３２の上方には、詳しくは後述する間欠スプロケットをフイルム通路に向けて露呈させるための開口３４が形成されている。
【００１６】
巻き上げノブ１３は、パトローネ収納室２７の上面に回動自在に配置されている。この巻き上げノブ１３には、パトローネ２６のスプール２６ｂに係合する軸が一体に形成されている。また、巻き上げノブ１３の一部は、後カバー２１の開口２１ａから露呈されており、この露呈された部分を図中反時計方向に回転させることによりスプール２６ｂが回転し、写真フイルム２８を巻き上げる。
【００１７】
巻き上げノブ１３の外周には歯列が形成されている。この歯列には、本体基部２０に設けた逆止爪２０ａが係合している。逆止爪２０ａは、写真フイルム２８がフイルム巻き上げ方向とは逆の方向に送り出されるのを阻止する。
【００１８】
写真フイルムパトローネ２５は、パトローネ２５の内部にスプール２６ｂが回動自在に収納され、このスプール２６ｂにフイルム後端が係止された形態とされている。写真フイルム２８には、撮影コマの位置を割り出すために、フイルム先端部とフイルム後端部との間に位置する有効露光範囲内で、幅方向の片側に、短い間隔で隣接した２個のパーフォレーション２８ａ，２８ｂを長い間隔で一定ピッチで形成して１コマ当たり２個のパーフォレーション２８ｂ，２８ａの配列としている。そして、長い間隔のパーフォレーション２８ｂ，２８ａの間の中心が撮影光軸１７ａに合うようにフイルム１コマ送りが行われ、フイルム後端部から順に撮影を行う。
【００１９】
パトローネ２５には、遮光蓋２６ａがフイルム出入口の内部に回動自在に収納されている。遮光蓋２６ａは、パトローネ２５の内部遮光用の蓋であり、両端がパトローネ２６の両側面から露呈されている。
【００２０】
ストロボユニット２４は、前カバー２３の前面の一部を切り欠いて形成したストロボスイッチ１６の押圧操作により、これ背後に取り付けられる接片３５でストロボ基板２４ａの回路が閉じられ、電源電池３６からの電圧を昇圧してメインコンデンサ２４ｂに充電を行う。メインコンデンサ２４ｂの充電が完了すると、下方に配置された充電完了ランプ２４ｃが点灯する。そしてシャッタレリーズに連動するＸ接点２４ｄがＯＮすることでストロボ発光部１５内の放電管にトリガー信号が与えられ、ストロボ発光部１５から被写体に向けてストロボ光を照射する。
【００２１】
露光ユニット２２は、図４に示すように、シャッタ基板３７、間欠スプロケット３８、回転部材３９、板バネ４０、２個の捩じりバネ４１，４２、係止レバー４３、シャッタ駆動レバー４４、枚数表示板４５、及び、支持板４６等でシャッタ機構、フイルム巻き止め機構、フイルムカウンタ機構などを構成している。シャッタ基板３７は、本体基部２０の暗箱３２の前面に取り付けられる。このシャッタ基板３７には、シャッタ開口が形成され、このシャッタ開口の前面にシャッタ羽根が開閉自在に組み込まれている。シャッタ羽根は引き戻しバネにより閉じ方向に付勢されており、これらを隠すようにシャッタカバー４７が取り付けられている。撮影レンズ１７は、このシャッタカバー４７の前面とホルダー４８との間に挟装されている。
【００２２】
シャッタ基板３７の上方右側には、対物レンズ５０と接眼レンズ４９とからなるファインダ光学１８が組み込まれている。この横の一段下がった面には、２つの軸５１，５２と軸受穴５３とがそれぞれ設けられている。本発明の回転軸である軸５１には、シャッタ駆動レバー４４、捩じりバネ４１、枚数表示板４５とが順に挿入される。また本発明の他の回転軸である軸５２には、捩じりバネ４２、係止レバー４３とが順に挿入される。軸受穴５３には、回転部材３９が挿入され、この挿入した側に間欠スプロケット３８が係合する。
【００２３】
間欠スプロケット３８は、本体基部２０の開口３４からフイルム面に向けて露呈され、円周面上の回転対称の位置にそれぞれ設けた一対の歯３８ａ，３８ｂが、写真フイルムの短い間隔で並んだ一対のパーフォレーション２８ａ，２８ｂに順次に噛合して、１コマ給送長分のフイルム移送に従動して半回転する。
【００２４】
回転部材３９は、下方から被押圧部５４，シャッタチャージカム５５，巻止めカム５６，二歯ギヤ５７とから構成されており、これらは一体に形成されている。被押圧部５４には、一対の突起５４ａが回転対称の位置にそれぞれ形成されており、間欠スプロケット３８の一対の歯３８ａ，３８ｂがパーフォレーション２８ａ，２８ｂから外れている間に、シャッタ基板３７に固定された板バネ４０の先端４０ａで、間欠スプロケット３８をフイルムの巻き上げ方向に向けた回転方向に付勢される。シャッタチャージカム５５には、回転対称の位置にそれぞれ形成された一対のカム５５ａで構成されており、これらの回動軌跡内にシャッタ駆動レバー４４の一端４４ａが入り込んでいる。
【００２５】
捩じりバネ４１は、一端がシャッタ基板３７に、他端がシャッタ駆動レバー４４のバネ受けに引っ掛けられ、シャッタ駆動レバー４４を軸５１中心に反時計方向（レリーズ完了位置の方向）に向けて付勢する。また捩じりバネ４２は、一端がシャッタ基板３７に、他端が係止レバー４３の立ち下がり片４３ａに引っ掛けられ、軸５２中心に係止レバー４３を時計方向（巻き止め位置の方向）に向けて付勢する。係止レバー４３は、捩じりバネ４２の付勢によって爪部４３ｂが巻止めカム５６の外周に当接される。１コマ給送長分の写真フイルム２８の巻き上げにより回転部材３９が半回転すると、シャッタ駆動レバー４４はシャッタチャージカム５５によって軸を中心として時計方向（チャージ位置の方向）に向けて回転される。
【００２６】
また、係止レバー４３は、間欠スプロケット３８の半回転で捩じりバネ４２の付勢により爪部４３ｂが巻止めカム５６の一対の溝５６ａに入り込み、間欠スプロケット３８の回転を阻止する巻き止め位置となる。この位置では、係止レバー４３の下突条部４３ｃがシャッタ駆動レバー４４の立ち上がり片４４ｂの回転軌跡内に入り込んでシャッタ駆動レバー４４をチャージ位置に保持する。また、このときには、係止レバー４３の巻止め爪４３ｄが巻上げノブ１３の外周の歯列に噛合して、フイルム巻き上げ操作を阻止する。
【００２７】
シャッタボタン１４が押下されると、押圧ロッド１４ａが係止レバー４３の立ち下がり片４３ａを反時計方向（巻き止め解除位置）に向けて押圧する。これにより、係止レバー４３の下突条部４３ｃとシャッタ駆動レバー４４の立ち上がり片４４ｂとの係合が解除されるので、シャッタ駆動レバー４４は捩じりバネ４１の付勢によって反時計方向に回転する。このときに、シャッタ駆動レバー４４の蹴飛ばしアーム４４ｃが、シャッタ羽根を蹴飛ばして写真フイルム２８への露光が行われる。また、シャッタ羽根は引き戻しバネの付勢によってすぐにシャッタ開口を閉じる。
【００２８】
係止レバー４３が反時計方向に回転されると、巻止め爪４３ｄが巻き上げノブ１３の歯列から退避し、また係止レバー４３の爪部４３ｂが溝５６ａから退避するので、次回のフイルム巻き上げ操作が許容される。
【００２９】
最後のコマに撮影を行った後には、フイルム先端側にある短い間隔で並んだ一対のパーフォレーション２８ａ，２８ｂを無効化するために、枚数表示板４５の下面にカム４５ａを一体に形成している。このカム４５ａは、最後のコマに撮影を行った後のフイルム巻き上げ操作の過程で係止レバー４３に設けた立ち上がり突起４３ｅの回動軌跡内に入り込み、係止レバー４３の巻き止め位置への回転を阻止する。
【００３０】
この状態では、係止レバー４３の爪部４３ｂが巻止めカム５６の溝５６ａから退避し、また、巻止め爪４３ｄが巻き上げノブ１３の歯列から退避し、さらに、下突条部４３ｃがシャッタ駆動レバー４４の立ち上がり片４４ｂの回動軌跡内に入り込んでシャッタ駆動レバー４４をチャージ位置で保持する状態となる。これにより、フイルム巻き止め機構の作動が無効化され、また巻き上げノブ１３のフイルム巻き上げ方向への回転が自由となり、さらに、シャッタ機構の作動が無効化された状態になるから、その後のフイルム巻き上げ操作によって写真フイルム２８の全てをパトローネ２６に収納することができる。
【００３１】
間欠スプロケット３８の半回転によって二歯ギヤ５７も半回転される。この二歯ギヤ５７は、枚数表示板４５の外周に形成された歯列に噛合しており、反回転で枚数表示板４５を一目盛り分だけ軸５１中心に時計方向に歩進させる。枚数表示板４５の上には、支持板４６が取り付けられる。この支持板４６は、透明なプラスチック材料で形成されており、シャッタ基板３７に爪結合により一端側がファインダ光学１８を上方から覆うように取り付けられ、他端側がパトローネ収納室２７の上壁を部分的に覆う。
【００３２】
支持板４６には、捩じりバネ４１，４２や板バネ４０の付勢により２つの軸５１，５２と回転部材３９とが互いに広がって機構の不作動を防止するために、開口４６ａ、ピン４６ｂ、切り欠き部４６ｃ、及び抜け止め部４６ｄがそれぞれ一体に形成されている。開口４６ａには、枚数表示板４５の上に露呈して突出される軸５１の先端が嵌合する。この開口４６ａの下面には、枚数表示板４５の上面の一部だけに接触する筒部が設けられている。ピン４６ｃは、支持板４６の下方に突出して形成されており、係止レバー４３から露呈される軸５２の上面に形成した孔に入り込む。このピン４６ｃの周では、係止レバー４３の上面に当接して抜け止めを行っている。切り欠き部４６ｂは、二歯ギヤ５７の外周の一部に当接して、枚数表示板４５の歯列から二歯ギヤ５７が離れないよう支持する。抜け止め部材４６ｄは、支持板４６の下面に形成されており、回転部材３９が軸受穴５３から上方に抜けないように阻止している。
【００３３】
抜け止め部材４６ｄは、巻止めカム５６の上面から所定距離離れた位置で抜け止めを行っている。というのは、巻止めカム５６の上面に接触させると、板バネ４０によるフイルム巻き上げ方向への付勢が作用したときに回転部材３９が回転しにくくなるためである。なお、離す距離としては、０．５〜０．６ｍｍ位が好適である。
【００３４】
支持板４６には、上面に拡大レンズ部４６ｅが一体に形成されている。このレンズ部４６ｅは、枚数表示板４５の上面に印字した枚数表示用の目盛りを表示窓１９を通して拡大して観察させる。
【００３５】
さらに、支持板４６には、図１に示すように、ライトガイド部４６ｆ、突起４６ｇ、押さえリブ４６ｈが一体に形成されている。ライトガイド部４６ｆは、支持板４６の端の一部の厚みを厚くして形成されており、一端面４６４６ｉがストロボユニット２４の充電完了ランプ２４ｃに臨んでいる。他面４６ｊは後カバー２１の接眼窓２１ｂの横に形成された穴２１ｃに臨まれ、充電完了ランプの点灯を接眼レンズ４９からフレーミングした状態で確認できるようにしてある。
【００３６】
突起４６ｇは、シャッタボタン１４の押下ストロークをかせぐためのリブであり、支持板４６の上面に突出して形成してある。前カバー２３に形成されたシャッタボタン１４は図示のように根元１４ｂが薄肉とされ、この下方に突起４６ｇが配置される。突起４６ｇは、シャッタボタン１４を押下操作したときに、シャッタ機構を作動させるのに必要なストローク分だけ弾性変形するようにシャッタボタン１４の根元１４ｂに下方から当接する。これにより、シャッタボタン１４の先端１４ｃが必要なストローク分だけ弾性変形する。このストロークを許容するために、巻き上げノブ１３の上面の一部１３ａを凹ませている。
【００３７】
押さえリブ４６ｈは、遮光蓋閉じ機構の作動を確実に作動させるためのもので、支持板４６の下面に下方に向けて突出して形成されている。遮光蓋閉じ機構は、捩じりバネ６０、蓋開閉部材６１、連結棒６２、及び後カバー２１の底蓋３０に形成された係止爪３０ａとで構成されている。蓋開閉部材６１は、パトローネ収納室２７の上面に形成した開口２７ａを通して、パトローネ２６の遮光蓋２６ａの端面に係合し、遮光蓋２６ａを開閉する。捩じりバネ６０は、一端が本体基部２０のバネ受けに、また他端が蓋開閉部材６１のバネ受けにそれぞれ引っ掛けられ、遮光蓋２６ｃが閉じ位置となる方向に向けて蓋開閉部材６１を付勢する。
【００３８】
連結棒６２は、パトローネ収納室２７の外側で暗箱３２の横に組み込まれ、上端が蓋開閉部材６１の回転軌跡内に臨む上昇位置と回転軌跡内から退避する下降位置との間で移動自在に組み込まれる。連結棒６２の上端は、上昇位置のときに、遮光蓋２６ｃを開いた位置で蓋開閉部材６１に当接してその回転を阻止している。この上昇位置のときに連結棒６２の下端は、底蓋３０がパトローネ収納室２７の底を閉じた状態で係止爪３０ａに係合する。したがって、底蓋３０を開けると、これに連動して連結棒６２が下降位置に移動し、蓋開閉部材６１の回転軌跡内から連結棒６２の上端が退避し、蓋開閉部材６１がバネ６０の付勢により回転する。これにより、パトローネ２６の遮光蓋２６ｃが開く。底蓋３０がある程度開かれると、連結棒６２の下端と係止爪３０ａとの係合が解除され、連結棒６２は下降位置の状態で保持される。
【００３９】
捩じりバネ６０は、遮光蓋閉じ機構を確実に行うために、強い付勢力のものが用いられている。しかしながら、強い付勢力の捩じりバネを用いると、遮光蓋２６ｃを開く位置で蓋開閉部材６１が保持されたときにかなりの力で捩じられるため、バネ自身又は蓋開閉部材６１を上方に向けて逃がすように付勢する作用が働き、これらが開口２７ａから飛び出して正しく作動しない不具合が生じる。そこで、前述した押さえリブ４６ｈで捩じりバネ６０及び蓋開閉部材６１の上面を上方から押さえるようにしている。
【００４０】
次に上記実施例の作用について説明する。工場での写真フイルムパトローネ２５の装填は、パトローネ２６をパトローネ収納室２７に、またパトローネ２６から引き出してロール状にした未露光のフイルムロールをフイルムロール室２９にそれぞれ収納する。写真フイルム２８の引き出しは、フイルム最後端側のコマを露光開口３３にセットする分だけ引き出した後に、さらにパーフォレーション１８の短い間隔分を越える長さだけ引き出す。このとき間欠スプロケット３８は、一対の歯３８ａ，３８ｂの間の円周部が写真フイルム２８に対峙するシャッタチャージ未完了の回転位置にしておく。これにより、間欠スプロケット３８の歯３８ａ，３８ｂが写真フイルム２８に突っかかることなく写真フイルムパトローネ２５をスムーズに装填することができる。
【００４１】
また、この間欠スプロケット３８の状態ではシャッタ機構のシャッタチャージが行われていない位置であるから、このまま出荷することで輸送中の振動等でシャッタボタン１４が押されてもシャッタ機構が作動することはない。その後の検査工程では、この状態を検査する必要がある。この検査は、回転部材３９の巻止めカム５６の回転位置によって外観から判断する。このとき、巻止めカム５６の回転位置を見やすくするために、図４に示したように支持板４６に丸穴４６ｋを設けてある。
【００４２】
支持板４６は、前カバー２３及び後カバー２１とで構成されるレンズ付きフイルムユニットの上面との間の狭いスペースに配置される。このため、支持板４６は平均厚みを薄くされている。成形方法としては、射出成型とされる。射出成型では、平均厚みの薄いものに対してはゲート位置の選択によりショートショットやウエルドラインの因となる。そこで、実験を行った結果、ゲートの最適な位置としては、厚肉にしたライトガイド部４６ｆの範囲に設けるのが好適であることが分かった。
【００４３】
レンズ付きフイルムユニット１０を購入したユーザーは、始めに巻き上げノブ１３を回転操作して撮影準備を行う。巻き上げノブ１３の回転操作により写真フイルム２８がパトローネ２６内に巻き上げられる。
【００４４】
フイルム巻き上げ操作が行われることで、短い間隔で並んだ一対のパーフォレーション１８ａ，２８ｂが間欠スプロケット３８に向けて移送される。これにより、間欠スプロケット３８の一対の歯３８ａ，３８ｂのうち回転方向の先頭の歯３８ｂが最初のパーフォレーション２８ｂに噛合し、続いて後続の歯３８ａが次のパーフォレーション２８ａに噛合する。
【００４５】
後続の歯３８ａがパーフォレーション２８ａに噛合するまでの間の間欠スプロケット３８の回転は、回転部材３９に伝達され、シャッタチャージカム５５がシャッタ駆動レバー４４を捩じりバネ４１の付勢に抗してチャージ位置に向けて回転させる。そして、後続の歯３８ａがパーフォレーション２８ａに噛合すると、間欠スプロケット３８が半回転した位置となる。これにより、係止レバー４３の爪部４３ｂが巻止めカム５６の溝５６ａに入り込んで間欠スプロケット３８の回転を阻止する。このときの係止レバー４３の回転により下突条部４３ｃがシャッタ駆動レバー４４の立ち上がり片４４ｂの回動軌跡内に入り込んでシャッタ駆動レバー４４をチャージ位置に保持するとともに、巻止め爪４３ｄが巻き上げノブ１３の歯列に係合して巻き上げノブ１３の回転操作を阻止する。これにより、露光開口３３にはフイルム最後端のコマがセットされる。
【００４６】
ストロボ撮影を行う場合には、ストロボスイッチ１６を押下する。これにより、メインコンデンサ２４ｂに充電が開始される。この操作は、ストロボスイッチ１６の押下を止めても充電を継続する回路、充電完了後にメインコンデンサ２４ｂへの充電を停止する回路、及び発光後の再充電を自動的に行う回路とがストロボ回路に内蔵されているため、一回の押下操作をした後にはシャッタボタン１４の押下操作だけで連続してストロボ撮影が行える。充電が完了すると充電完了ランプ２４ｃが点灯し、自動的に充電が停止する。充電完了ランプ２４ｃは、充電が停止しても点灯を継続しており、長期的に放置されることでメインコンデンサ２４ｂの充電が放電されることで消灯する。
【００４７】
後カバー２１の接眼窓２１ｂから覗いて撮影範囲を確認すると、接眼窓２１ｂに向かって左側の穴２１ｃからライトガイド部４６ｆを通った充電完了ランプ２４ｃの点灯が確認でき、ストロボ撮影の失敗を未然に防ぐことができる。
【００４８】
シャッタボタン１４を押下すると、根元１４ｂが支持板４６の突起４６ｇで押さえられているため、ここを中心にシャッタボタン１４の先端１４ｃが弾性変形される。これにより、シャッタボタン１４は、必要ストロークまで押下され、押圧ロッド１４ａが立ち下がり片４３ａを確実に押圧する。これにより、係止レバー４３が巻き止め解除位置に向けて回転する。係止レバー４３が回転すると、下突条部４３ｃとシャッタ駆動レバー４４の立ち上がり片４４ｂとの係合が解除されるので、シャッタ駆動レバー４４は捩じりバネ４１の付勢によって反時計方向に回転し、シャッタ羽根を蹴飛ばす。これにより、シャッタ開口が開放され、被写体光が露光開口３３に入射して写真フイルム２８への露光が行われる。その後、シャッタ羽根は引き戻しバネの付勢によって戻される。このとき、シャッタ羽根の一部がストロボユニット２４のＸ接点２４ｄをＯＮしてストロボ発光部１５からストロボ光が照射される。
【００４９】
撮影が終了した時点では、立ち上がり片４４ｂが下突条部４３ｃの回動軌跡内に入り込んでシャッタ駆動レバー４４が係止レバー４３を巻き止め解除位置に保持した状態となっている。このため、係止レバー４３の巻止め爪４３ｄが巻き上げノブ１３の歯列から退避し、また爪部４３ｂが溝５６ａから退避しているので、次回のフイルム巻き上げ操作を許容した状態とされる。その後、巻き上げノブ１３をフイルム巻上げ方向に回転操作すると、前述のように回転部材３９が半回転され、シャッタチャージが行われる。この間、二歯ギヤ４６ｄが枚数表示板４５の一目盛り分だけ歩進させる。
【００５０】
以上のようにシャッタレリーズとフイルム巻き上げ操作とを繰り返すことで、フイルム後端側のコマから順に撮影が行われ、撮影済みの写真フイルム２８がパトローネ２６に収納されていく。そして、フイルム最先端のコマへの撮影が終了した後には、枚数表示板４５の残数目盛りが残り「１」を表示した位置まで歩進する。その後のフイルム巻き上げ操作によってフイルム最先端側の短い間隔で並んだ一対のパーフォレーション２８ａ，２８ｂが到達する。これらのパーフォレーション２８ａ，２８ｂによって間欠スプロケット３８が回転し、枚数表示板４５が一目盛り分だけ歩進して撮影完了を表示する。このときの歩進で枚数表示板４５のカム４５ａが係止レバー４３の立ち上がり突起４３ｅの回動軌跡内に入り込んで、係止レバー４３の巻き止め位置への回転を阻止する。これにより、フイルム巻き止め機構とシャッタ機構との作動が無効化され、また巻き上げノブ１３のフイルム巻き上げ方向への回転が自由とされるので、フイルム巻き上げ操作が継続され、全ての写真フイルム２８をパトローネ２６の内部に巻き込むことができる。
【００５１】
使用済みのレンズ付きフイルムユニット１０は、そのままの形態で現像所に提出される。現像所では、底蓋３０を開けて撮影済みの写真フイルム２８を収納したパトローネ２６を取り出す。このとき、僅かな底蓋３０の開きに連動して連動棒６２が下降位置に移動し、蓋開閉部材６１の回転阻止が解除される。これにより、底蓋３０が完全に開くまでの間で蓋開閉部材６１が捩じりバネ６０の付勢により遮光蓋２６ｃを完全に閉じる位置まで回転する。したがって、取り出されたパトローネ２６に光被れが生じることはない。
【００５２】
取り出したパトローネ２６は、自動現像焼付装置にセットされ、現像及び焼き付け処理が行われ、現像済みの写真フイルム２８は再び同じパトローネ２６に収納した状態で、プリント写真とともに返却される。
【００５３】
上記実施例で説明したシャッタボタン１４の根元支持用の突起４６ｇは、１３５タイプの写真フイルムパトローネを装填したレンズ付きフイルムユニットにも採用できるのはいうまでもない。
【００５４】
【発明の効果】
以上説明したように、本発明のレンズ付きフイルムユニットでは、開閉蓋部材の上端部をパトローネ室の外部から押さえる押さえ部材を設けたから、遮光蓋閉じ機構の構成部品が付勢部材の付勢により飛び出すことを確実に阻止できるとともに、この押さえ部材を支持板に一体に設けたから、別々に設けるのと比較して部品点数を削減でき、ローコスト化及び組立コストの低減が行える。また、請求項２記載の発明では、シャッタボタンの根元の下面に当接してシャッタボタンの根元を支持する突起を支持板の上面に設けたから、シャッタ機構を作動させるのに必要なストロークで押下操作が確実に行えるとともに、この突起を支持板に一体に設けたから、別々に設けるのと比較して部品点数を削減でき、ローコスト化及び組立コストの低減が行える。
【図面の簡単な説明】
【図１】本発明の要部を概略的に示した斜視図である。
【図２】本発明のレンズ付きフイルムユニットの外観を示す斜視図である。
【図３】ユニット本体の構成を示す分解斜視図である。
【図４】露光ユニットの分解斜視図である。
【符号の説明】
１４  シャッタボタン
２６  パトローネ
２６ａ  遮光蓋
２８  写真フイルム
３８  間欠スプロケット
３９  回転部材
４１，４２，６０  捩じりバネ
４３  シャッタ駆動レバー
４４  係止レバー
４５  枚数表示板
４６  支持板
４６ｇ  突起
４６ｈ  押さえリブ
５１，５２  軸
５７  二歯ギヤ
６２  連結棒
６１  蓋開閉部材
【図１】
0003770419.tif 000002
【図２】
0003770419.tif 000003
【図３】
0003770419.tif 000004
【図４】
0003770419.tif 000005